(57)【要約】【課題】安定した出力を得ることができる燃料電池システムを提供する。【解決手段】燃料極２１、空気極２４、および燃料極２１と空気極２４とに挟持された電解質膜２７とを有する膜電極接合体３と、燃料極２１へ燃料を供給する燃料供給機構９と備えた燃料電池と、燃料タンクＴＫから燃料供給機構９に燃料を送出する送液手段ＰＰと、を備え、燃料供給機構９は、送液手段ＰＰから送出された燃料について気体と液体とを分離して気体燃料を膜電極接合体３へ排出させる気液分離手段８２を備えた燃料電池システム。【選択図】      図１
2010061975.tif 000002
【特許請求の範囲】
【請求項１】
燃料極、空気極、および前記燃料極と前記空気極とに挟持された電解質膜とを有する膜電極接合体と、前記燃料極へ燃料を供給する燃料供給機構と備えた燃料電池と、
燃料タンクから前記燃料供給機構に燃料を送出する送液手段と、を備え、
前記燃料供給機構は、前記送液手段から送出された燃料について気体と液体とを分離して気体燃料を前記膜電極接合体へ排出させる気液分離手段を備えた燃料電池システム。
【請求項２】
前記送液手段から送出された燃料を前記燃料供給機構に供給し、前記燃料供給機構から前記燃料電池の外部に排出された燃料を再び前記燃料タンクに供給する循環経路をさらに備えた請求項１記載の燃料電池システム。
【請求項３】
前記気液分離手段から前記燃料電池の外部に排出される燃料を制限することにより前記気液分離手段内の圧力を調整する絞り手段をさらに備えた請求項１または請求項２記載の燃料電池システム。
【請求項４】
前記送液手段の動作を制御する制御手段をさらに有することを特徴とする請求項１乃至請求項３いずれか１項記載の燃料電池システム。
【請求項５】
前記膜電極接合体の近傍に配置された第１温度検出手段と、
前記気液分離手段の近傍に配置された第２温度検出手段と、
前記膜電極接合体の温度と前記気液分離膜の温度とに対応する前記送液手段の制御補正係数が蓄積されたデータベースと、をさらに備え、
前記制御手段は、前記燃料電池の出力値を検知し検知された出力値が所定範囲内であるか否か判断する監視手段と、前記監視手段によって検知された出力値が所定範囲内ではないと判断された場合に、前記第１温度検出手段および前記第２温度検出手段から温度値を検知する検知手段と、前記データベースから前記検知手段によって検知された温度に対応する制御補正係数を取得する係数取得手段と、前記係数取得手段によって取得された制御補正係数を用いて制御信号を補正する補正手段と、を備える請求項４記載の燃料電池システム。
【請求項６】
前記送液手段は、圧電素子ポンプである請求項１乃至請求項５のいずれか１項記載の燃料電池システム。
【発明の詳細な説明】
【技術分野】
【０００１】
本発明は燃料電池システムに関し、特に液体燃料を用いた燃料電池システムに関する。
【背景技術】
【０００２】
近年、ノートパソコンや携帯電話等の各種携帯用電子機器を長時間充電なしで使用可能とするために、これら携帯用電子機器の電源に燃料電池を用いる試みがなされている。燃料電池は燃料と空気とを供給するだけで発電することができるとともに、燃料を補給すれば連続して長時間発電することが可能であるという特徴を有している。このため、燃料電池を小型化できれば、携帯用電子機器の電源として極めて有利なシステムとなる。
【０００３】
直接メタノール型燃料電池（Direct Methanol Fuel Cell：ＤＭＦＣ）は小型化が可能であり、さらに燃料の取り扱いも容易であるため、携帯用電子機器の電源として有望視されている。
【０００４】
ＤＭＦＣの一つの燃料供給方法としては、燃料収容部と膜電極接合体とを気液分離膜、または微細孔を有する多孔膜を介して接続し、燃料収容部に収容された液体燃料を適宜膜電極接合体へ気体または液体として供給する。供給された燃料は膜電極接合体にて、発電反応に供され、供給された燃料を過不足なく電力へ変換する、いわゆるパッシブ型呼ばれる方式がある。
【０００５】
また、他の燃料供給方法としては、膜電極接合体を内包した燃料電池セルと燃料収容部とを流路を介して接続するアクティブ型と呼ばれる方法がある（特許文献１〜２参照）。
【０００６】
この方法では、燃料収容部に収容された燃料は燃料電池セルへ直接供給されるが、流路を介して供給することによって、流路の形状や径等に基づいて液体燃料の供給量を調整することができる。
【０００７】
また、アクティブ型の燃料供給を強制的に行う方式として、特許文献２では燃料収容部から流路にポンプで液体燃料を供給する方式が開示されている。アクティブ型においては、ポンプを採用することにより、引例に記載の燃料を循環させる構造を有した燃料電池では、燃料供給量を意図的に制御することが可能となり有効である。特に、圧電素子ポンプは他の送液器機と比較して薄型化することが容易で、燃料電池システムの薄型化を考慮すると実装面では有利である（例えば特許文献３参照）。
【特許文献１】特表２００５−５１８６４６号公報
【特許文献２】特開２００６−０８５９５２号公報
【特許文献３】特開２００４−１２７６７１号公報
【発明の開示】
【発明が解決しようとする課題】
【０００８】
しかし、圧電素子ポンプを用いた場合、送液時の減圧効果により液体燃料の気化が生じるため、安定した燃料供給が難しくなる。その結果、燃料電池の出力が不安定になることがあった。
【０００９】
本発明は上記の事情に鑑みて成されたものであって、安定した出力を得ることができる燃料電池システムを提供することを目的とする。
【課題を解決するための手段】
【００１０】
本発明の態様に係る燃料電池システムは、燃料極、空気極、および前記燃料極と前記空気極とに挟持された電解質膜とを有する膜電極接合体と、前記燃料極へ燃料を供給する燃料供給機構と備えた燃料電池と、燃料タンクから前記燃料供給機構に燃料を送出する送液手段と、を備え、前記燃料供給機構は、前記送液手段から送出された燃料について気体と液体とを分離して単相燃料を排出させる気液分離手段を備える。
【発明の効果】
【００１１】
本発明によれば、安定した出力を得ることができる燃料電池システムを提供することができる。
【発明を実施するための最良の形態】
【００１２】
以下、本発明を一実施形態に係る燃料電池システムについて、図面を参照して以下に説明する。図１に示すように、本実施形態に係る燃料電池システムは、燃料電池と、燃料が収容される燃料タンクＴＫと、燃料タンクＴＫから燃料電池に燃料を送出する送出手段としての圧電素子ポンプＰＰと、圧電素子ポンプＰＰの動作を制御するコントローラＣＴＲとを有している。燃料タンクＴＫにはバランス弁が接続されている。
【００１３】
本実施形態に係る燃料電池システムは、図１に示すように、燃料が燃料タンクと燃料電池との間で循環するように循環経路が構成されている。すなわち、燃料タンクＴＫに収容された燃料は圧電素子ポンプＰＰによって燃料電池に送られ、燃料電池から排出された燃料は再び燃料タンクＴＫへと送られる。
【００１４】
圧電素子ポンプＰＰと気液分離器８２との間には、燃料遮断機構８８が配置されている。燃料遮断機構８８はコントローラＣＴＲによって制御され、燃料電池の出力の多寡に応じて、燃料供給機構９からの燃料供給を制御し、出力が安定するように作用する遮断弁である。
【００１５】
遮断弁の他に燃料遮断機構８８としては、その動作源により電磁バルブ、モータにより作動するバルブ、形状記憶合金と発熱体を併用したバルブ、圧電セラミックスを使用したバルブなどがある。
【００１６】
また、バルブの動作形式から、通電時だけ流路が開放される常時閉型バルブ、逆に通電時だけ流路が閉止される常時開型バルブ、一度通電すると通電停止後もその状態を維持するラッチ機構つきバルブなどがある。
【００１７】
また、燃料電池を稼働中に、発熱等により危険な状態となった場合に、圧電素子ポンプＰＰの動作が停止されて燃料電池への燃料の供給が停止され、さらに安全のために燃料遮断機構８８によって、圧電素子ポンプＰＰと燃料電池との間の燃料流路が遮断される。
【００１８】
燃料電池の燃料排出口と燃料タンクＴＫとの間には、絞り部品８４が配置されている。コントローラＣＴＲは、絞り部品８４の絞り量を調整して燃料電池から排出される燃料の調整することによって循環経路内での燃料の圧力を調整することができる。
【００１９】
燃料電池は、燃料電池セル１と、圧電素子ポンプＰＰから燃料電池セル１に供給される燃料を単相燃料に変換する気液分離器８２とを有している。図２は本実施形態による燃料電池の構成を示す断面図である。図１に示すように、燃料電池セル１は、起電部を構成する膜電極接合体（ＭＥＡ）３と、気液分離器８２を収容した燃料供給機構９と、を備えている。
【００２０】
膜電極接合体３は、アノード触媒層２３とアノードガス拡散層２２とを有するアノード（燃料極）２１と、カソード触媒層２５とカソードガス拡散層２６とを有するカソード（空気極／酸化剤極）２４と、アノード触媒層２３とカソード触媒層２５とで挟持されたプロトン（水素イオン）伝導性の電解質膜２７とを有している。
【００２１】
アノード触媒層２３やカソード触媒層２５を構成する触媒としては、例えばＰｔ、Ｒｕ、Ｒｈ、Ｉｒ、Ｏｓ、Ｐｄ等の白金族元素の単体、白金族元素を含有する合金等が挙げられる。アノード触媒層２３にはメタノールや一酸化炭素等に対して強い耐性を有するＰｔ−ＲｕやＰｔ−Ｍｏ等を用いることが好ましい。カソード触媒層２５にはＰｔやＰｔ−Ｎｉ等を用いることが好ましい。
【００２２】
ただし、触媒はこれらに限定されるものではなく、触媒活性を有する各種の物質を使用することができる。触媒は炭素材料のような導電性担持体を使用した担持触媒、あるいは無担持触媒のいずれであってもよい。
【００２３】
電解質膜２７を構成するプロトン伝導性材料としては、例えばスルホン酸基を有するパーフルオロスルホン酸重合体のようなフッ素系樹脂（ナフィオン（商品名、デュポン社製）やフレミオン（商品名、旭硝子社製）等）、スルホン酸基を有する炭化水素系樹脂等の有機系材料、あるいはタングステン酸やリンタングステン酸等の無機系材料が挙げられる。ただし、プロトン伝導性の電解質膜２７はこれらに限られるものではない。
【００２４】
アノード触媒層２３に積層されるアノードガス拡散層２２は、アノード触媒層２３に燃料を均一に供給する役割を果たすと同時に、アノード触媒層２３の集電体も兼ねている。カソード触媒層２５に積層されるカソードガス拡散層２６は、カソード触媒層２５に酸化剤を均一に供給する役割を果たすと同時に、カソード触媒層２５の集電体も兼ねている。アノードガス拡散層２２およびカソードガス拡散層２６は多孔質基材で構成されている。
【００２５】
アノードガス拡散層２２やカソードガス拡散層２６には、必要に応じて導電層３１、３４が積層される。これら導電層３１、３４としては、例えばＡｕ、Ｎｉのような導電性金属材料からなる多孔質層（例えばメッシュ）、箔体または薄膜、あるいはステンレス鋼（ＳＵＳ）などの導電性金属材料に金などの良導電性金属を被覆した複合材等が用いられる。導電層３１と導電層３４とは接続部材３７によって接続されている。本実施形態に係る燃料電池システムでは、接続部材３７および導電層３１、３４は、導電層３０として一体に構成されている。
【００２６】
電解質膜２７と導電層３１、３４との間には、それぞれゴム製のＯリング３８、３９が介在されており、これらによって膜電極接合体３からの燃料漏れや酸化剤漏れを防止している。
【００２７】
膜電極接合体３は、導電膜３１、３４を介してカバープレート６、１５に挟持されている。カバープレート１５は酸化剤である空気を取入れるための開口（図示せず）を有している。カバープレート１５とカソード２４との間には、必要に応じて保湿層（図示せず）や表面層（図示せず）が配置される。カバープレート６は、燃料供給機構９から燃料を取り入れるための開口（図示せず）を有している。
【００２８】
保湿層はカソード触媒層２５で生成された水の一部が含浸されて、水の蒸散を抑制すると共に、カソード触媒層２５への空気の均一拡散を促進するものである。表面層は空気の取入れ量を調整するものであり、空気の取入れ量に応じて個数や大きさ等が調整された複数の空気導入口を有している。
【００２９】
燃料供給機構９には、気液分離器８２が収容されている。燃料供給機構９は、筐体６１と、筐体６１の膜電極接合体３に対向する側に配置され、気液分離器８２から膜電極接合体３に供給される気体燃料が通過する燃料穴６４と、燃料収容室６５とを有している。気液分離器８２には膜電極接合体３に対応した液体燃料が供給される。液体燃料としては、各種濃度のメタノール水溶液や純メタノール等のメタノール燃料が挙げられる。
【００３０】
なお、液体燃料は必ずしもメタノール燃料に限られるものではない。液体燃料は、例えばエタノール水溶液や純エタノール等のエタノール燃料、プロパノール水溶液や純プロパノール等のプロパノール燃料、グリコール水溶液や純グリコール等のグリコール燃料、ジメチルエーテル、ギ酸、その他の液体燃料であってもよい。
【００３１】
燃料タンクＴＫに収容された液体燃料は圧電素子ポンプＰＰによって燃料電池に供給される。圧電素子ポンプＰＰから送出される液体燃料は気体燃料を含む２相流である。すなわち、図３に示すように、圧電素子ポンプＰＰはポンプ室ＣＨと、ポンプ室ＣＨ内に配置された圧電素子ＥＬとを有している。圧電素子ポンプＰＰの流入口および排出口には燃料の逆流を防止するための逆止弁ＶＬが配置されている。
【００３２】
圧電素子ＥＬは電圧を印加することで図３示すように上下方向に変形する。圧電素子ＥＬの位置に応じて、ポンプ室ＣＨ内の内圧が増減する。
【００３３】
例えば、図３に示す場合では、圧電素子ＥＬが下側に凸となるように変形すると、ポンプ室ＣＨ内の内圧が下がりポンプ室ＣＨ内に燃料が吸引される。圧電素子ＥＬが上側に凸となるように変形すると、ポンプ室ＣＨ内の内圧が上がりポンプ室ＣＨから燃料が吐出される。
【００３４】
上記のように圧電素子ポンプＰＰのポンプ室ＣＨ内に燃料が吸引されてポンプ室ＣＨから燃料が吐出される過程で燃料の気化が生じ、ポンプ室ＣＨから吐出される燃料は気化された燃料を含む２相流となる。
【００３５】
図４に示すように、気液分離器８２は、例えば気液分離膜ＦＬで囲まれた送液流路Ｒを有している。本実施形態に係る燃料電池システムでは、送液流路は気液分離膜ＦＬによって外部と隔てられた管状の流路である。
【００３６】
気液分離膜ＦＬとしては、シリコーンゴムの薄膜やナフィオン膜（ＤｕＰｏｎｔ社登録商標）のような、燃料の液体成分は透過しないが、気体成分を透過する特性を有した材料からなる膜であればその種類を問わない。
【００３７】
また、気液分離膜ＦＬに代えて、極微量の液体成分を透過する微細孔が穿孔されたる膜を使用することも可能である。代表的な材料としてはＰＴＦＥの薄膜に張力をかけて作成された微多孔フィルムを挙げることができる。
【００３８】
図４に示すように、気液分離器８２の送液流路Ｒ内の圧力Ｐｉｎと気液分離膜ＦＬを隔てた外部の圧力Ｐｏｕｔとを比較して、送液流路Ｒ内の圧力Ｐｉｎの方が外部の圧力Ｐｏｕｔよりも大きい場合、その圧力差に応じて送液流路Ｒ内の気体燃料が外部へと排出される。
【００３９】
気液分離膜ＦＬで囲まれた送液流路Ｒは、例えば図５に示すように、燃料収容室６５内一面に、蛇行するように配置されている。このように燃料収容室６５の一面に渡って送液流路Ｒを配置することによって、膜電極接合体３の面方向において、均一に燃料を供給することが可能となる。
【００４０】
気液分離膜ＦＬを透過してきた気体燃料は、膜電極接合体３のアノード２１に供給される。膜電極接合体３内において、燃料はアノードガス拡散層２２で拡散されて、アノード触媒層２３に供給される。例えば、液体燃料としてメタノール燃料を用いた場合、アノード触媒層２３で下記の(1)式に示すメタノールの内部改質反応が生じる。
【００４１】
なお、メタノール燃料として純メタノールを使用した場合には、カソード触媒層２５で生成した水や電解質膜２７中の水をメタノールと反応させて(1)式の内部改質反応を生起させる。あるいは、水を必要としない他の反応機構により内部改質反応を生じさせる。
【００４２】
ＣＨ3ＯＨ＋Ｈ2Ｏ  →  ＣＯ2＋６Ｈ+＋６ｅ-  …(1)
この反応で生成した電子（ｅ-）は集電層を経由して外部に導かれ、いわゆる電気として携帯用電子機器等を動作させた後、カソード（空気極）２４に導かれる。また、(1)式の内部改質反応で生成したプロトン（Ｈ+）は電解質膜２７を経てカソード２４に導かれる。
【００４３】
カソード２４には酸化剤として空気が供給される。カソード２４に到達した電子（ｅ-）とプロトン（Ｈ+）は、カソード触媒層２５で空気中の酸素と下記の(2)式にしたがって反応し、この反応に伴って水が生成する。
【００４４】
６ｅ-＋６Ｈ+＋（３／２）Ｏ2  →  ３Ｈ2Ｏ  …(2)
燃料電池セル１の近傍には温度センサＴＭ１が配置されている。気液分離器８２の近傍には温度センサＴＭ２が配置されている。コントローラＣＴＲは、燃料電池セル１の出力値を監視して、燃料電池セル１の出力値が所定範囲内でなかった場合に、温度センサＴＭ１および温度センサＴＭ２に基づいて圧電素子ポンプＰＰの動作を制御する。
【００４５】
すなわち、図６に示すように、コントローラＣＴＲは、燃料電池セル１の出力値を検知し（ステップＳＴ１）、検知された出力値が所定範囲内か否かを判断する（ステップＳＴ２）。燃料電池セル１の出力値が所定範囲内である場合、コントローラＣＴＲは、燃料電池セル１の出力の監視を継続する。
【００４６】
燃料電池セル１の出力値が所定範囲内でない場合、コントローラＣＴＲは、温度センサＴＭ１から燃料電池セル１の温度を検知する（ステップＳＴ３）。さらに、コントローラＣＴＲは、温度センサＴＭ２から気液分離器８２近傍の温度を検知する（ステップＳＴ４）。
【００４７】
次に、コントローラＣＴＲは、データベースＤＢを参照して、検知された燃料電池セル１の温度と気液分離器８２の温度とから、圧電素子ポンプＰＰの制御補正係数を抽出する（ステップＳＴ５）。データベースＤＢには、燃料電池セル１の出力値を所定範囲とするための、燃料電池セル１の温度と気液分離器８２の温度との値に対応した制御補正係数の値が蓄積されている。
【００４８】
コントローラＣＴＲは、得られた制御補正係数の値を用いて、圧電素子ポンプＰＰの制御信号を補正し、制御信号を発信する（ステップＳＴ６）。したがって、圧電素子ポンプＰＰの動作がコントローラＣＴＲの補正後の制御信号によって、燃料電池セル１の出力が所定範囲内となるように制御される。コントローラＣＴＲは、燃料電池セル１の出力値の監視を継続し、燃料電池セル１の出力値が所定範囲内となるまで上記のように制御信号の補正を行う。
【００４９】
すなわち、本実施形態に係る燃料電池システムによれば、圧電素子ポンプと気液分離膜とを組み合わせることで燃料を単相に分離し、気体燃料を燃料電池セルに供給することで安定した燃料供給を実現することができる。
【００５０】
また、従来の燃料電池セルはセル内部で液体燃料を気化させる機構が組まれており、反応部には気体燃料を送る方式を取っているが、上記の実施形態に係る燃料電子システムのような送液機構を用いることで気化機構が不要となり、燃料電池セルの簡易化、薄型化に繋がる。
【００５１】
上記のように、本実施形態に係る燃料電子システムによれば、膜電極接合体に安定した燃料供給を行い、安定した出力を得ることができる燃料電池システムを提供することができる。
【００５２】
なお、本発明は液体燃料を使用した各種の燃料電池に適用することができる。また、実施段階では本発明の技術的思想を逸脱しない範囲で構成要素を変形して具体化することができる。
【００５３】
例えば、上記の実施形態に係る燃料電池システムでは、燃料タンクＴＫから燃料電池へ液体燃料を送出するための送出機構として圧電素子ポンプＰＰを用いたが、圧電素子ポンプでなくても良い。燃料タンクＴＫから燃料電池へと液体燃料を送出する過程において液体燃料が気化をする場合に、上記の実施形態に係る燃料電池システムのように燃料供給機構９に気液分離器８２を配置することによって、より安定した燃料供給を実現することができる。
【００５４】
また、本実施形態に係る燃料電池システムでは、送液流路Ｒは燃料収容室６５内一体に渡って蛇行するように配置されていたが、送液流路Ｒの配置はこれに限らない。例えば、送液流路Ｒの出口を、膜電極接合体３の面方向における筐体６１の中央部に設けて、燃料収容室６５内を外側から内側に向かって渦巻き状となるように配置されていても良い。送液流路Ｒが燃料収容室６５内一体に配置されることによって、膜電極接合体３の面方向において燃料が均一に供給される。
【００５５】
また、上記の実施形態に係る燃料電池システムでは、データベースＤＢに蓄積された制御補正係数に応じてコントローラＣＴＲが圧電素子ポンプＰＰを制御していたが、データベースＤＢには燃料遮断機構８８および絞り部品８４の制御補正係数が合わせて蓄積され、コントローラがこれらの制御補正係数に応じて圧電素子ポンプＰＰ、燃料遮断機構８８、および絞り部品８４の制御を行うようにしても良い。このように制御することにより、より多様な制御を実現することができる。
【００５６】
さらに、上記実施形態に示される複数の構成要素を適宜に組合せたり、また実施形態に示される全構成要素から幾つかの構成要素を削除する等、種々の変形が可能である。本発明の実施形態は本発明の技術的思想の範囲内で拡張もしくは変更することができ、この拡張、変更した実施形態も本発明の技術的範囲に含まれるものである。
【図面の簡単な説明】
【００５７】
【図１】本発明の一実施形態に係る燃料電池システムの一構成例を説明するための図。
【図２】図１に示す燃料電池の一構成例を説明するための図。
【図３】図１に示す圧電素子ポンプの一構成例を説明するための図。
【図４】図２に示す燃料電池の気液分離器の一構成例を説明するための図。
【図５】図２に示す燃料電池の燃料供給機構内の気液分離器の配置の一例について説明するための図。
【図６】本発明の一実施形態に係る燃料電池システムの動作の一例について説明するためのフローチャート。
【符号の説明】
【００５８】
ＴＫ…燃料タンク、ＰＰ…圧電素子ポンプ、ＣＴＲ…コントローラ、３…膜電極接合体、９…燃料供給機構、８２…気液分離器
【図１】
2010061975.tif 000003
【図２】
2010061975.tif 000004
【図３】
2010061975.tif 000005
【図４】
2010061975.tif 000006
【図５】
2010061975.tif 000007
【図６】
2010061975.tif 000008